(57)【要約】      （修正有）【課題】柄部に角度を備え、手の操作上の角度の制限を小さくし、特に歯の内側表面を磨く効果を高めた、歯ブラシを提供する。【解決手段】歯ブラシは、ヘッド部１１、ネック部１２及び柄部１３を含む。そのうち、ネック部１２の両端がヘッド部１１と柄部１３にそれぞれ接続され、且つヘッド部１１にブラシ１１１が設けられる。ヘッド部１１のブラシ１１１の延伸方向は実質上ネック部１２の延伸軸方向に略平行を成し、且つネック部１２と柄部１３が角度θ１を形成する。上述の構造により、本考案の歯ブラシ１は手の操作の角度上の制限を小さくし、楽に使用者の口の中に伸入させ、容易に歯の内側表面を磨くことができる。【選択図】図１
0003144106.tif 000002
【実用新案登録請求の範囲】
【請求項１】
相互に平行の複数のブラシを備えたヘッド部と、前記ヘッド部から延伸されたネック部と、前記ネック部から延伸された柄部を含み、そのうち前記ブラシの延伸方向が実質的に前記ネック部の延伸軸方向に略平行を成し、且つ前記ネック部の延伸軸方向が前記柄部の延伸軸方向と角度を形成し、前記ヘッド部の延伸軸方向と前記ネック部の延伸軸方向の間に角度を形成したことを特徴とする、歯ブラシ。
【請求項２】
前記ヘッド部の延伸軸方向と前記ネック部の延伸軸方向の間に形成された前記角度が、７０度から１００度までの間であり、前記ネック部の延伸軸方向と前記柄部の延伸軸方向の間に形成された前記角度が９０度から１５０度までの間であることを特徴とする、請求項１に記載の歯ブラシ。
【請求項３】
相互に平行の複数のブラシを備えたヘッド部と、前記ヘッド部に接続されたネック部と、前記ネック部に接続された柄部を含み、そのうち、前記ブラシの延伸方向が実質的に前記ネック部の延伸軸方向に略平行を成し、且つ前記柄部が前記ネック部に対して旋回可能であることを特徴とする、歯ブラシ。
【請求項４】
前記ネック部または前記柄部が第一旋回部材を含み、前記柄部を前記第一旋回部材により前記ネック部に対して旋回させることができ、前記歯ブラシがさらにＬ字形部材を含み、且つ前記Ｌ字形部材が前記ネック部及び前記ヘッド部とそれぞれ接続されたことを特徴とする、請求項３に記載の歯ブラシ。
【請求項５】
前記Ｌ字形部材または前記ネック部が第二旋回部材を含み、前記ヘッド部と前記Ｌ字形部材を前記第二旋回部材で前記ネック部に対して旋回または回動させることができることを特徴とする、請求項３に記載の歯ブラシ。
【請求項６】
前記ヘッド部または前記Ｌ字形部材が第三旋回部材を含み、前記ヘッド部を前記第三旋回部材で前記Ｌ字形部材に対して旋回または回動させることができることを特徴とする、請求項５に記載の歯ブラシ。
【請求項７】
前記Ｌ字形部材の折れ曲がり箇所にさらに第四旋回部材を含み、前記Ｌ字形部材を折り曲げることができることを特徴とする、請求項４に記載の歯ブラシ。
【請求項８】
相互に平行の複数のブラシを備えたヘッド部と、前記ヘッド部に接続されたネック部と、前記ネック部から延伸された柄部を含み、そのうち、且つ前記ヘッド部及び前記ネック部が実質上略Ｌ字形を成し、そのうち前記ブラシの延伸方向が実質上前記ネック部の延伸軸方向に略平行を成し、且つ前記ヘッド部が前記ネック部に相対して旋回することができ、前記ヘッド部の延伸軸方向と前記ネック部の延伸軸方向の間に角度を形成し、且つ前記ネック部の延伸軸方向が前記柄部の延伸軸方向と角度を形成することを特徴とする、歯ブラシ。
【請求項９】
前記ヘッド部の延伸軸方向と前記ネック部の延伸軸方向の間に角度を形成し、前記角度が７０度から１００度までの間であり、且つ前記ネック部の延伸軸方向と前記柄部の延伸軸方向に角度を形成し、前記角度が９０度から１５０度の間であることを特徴とする、請求項８に記載の歯ブラシ。
【請求項１０】
前記ヘッド部または前記ネック部が第五旋回部材を含み、前記ネック部を前記第五旋回部材で前記柄部に対して旋回または回動させることができることを特徴とする、請求項８に記載の歯ブラシ。
【考案の詳細な説明】
【技術分野】
【０００１】
本考案は歯ブラシに関し、特に、特殊な角度を備え、歯の内側表面を磨くことができる歯ブラシに関する。
【背景技術】
【０００２】
歯の健康と全身の健康には切っても切れない関係があるため、現代人は「治療より予防」の重要性を重視し、よい口腔衛生と健康な歯を確立しようとしている。一般に、歯の健康は早期にすでに形成される。しかし、歯の形成期にケアを怠ると、その健康という資産が失われてしまい、その後優れた技術での補修や入れ歯などを利用することはできるものの、天然の歯とは比べものにならない。
【０００３】
多くの医学報道でも知られるように、虫歯の発生は通常歯の内面から開始する。現在市場でよく見受けられる従来の歯ブラシは、柄部の構造が一般に真っ直ぐの状態で、ブラシの方向が真っ直ぐな柄部に垂直であるもの、または柄部の構造に若干の湾曲がつけられた造型歯ブラシがほとんどである。これら従来の歯ブラシは、歯の外側表面をきれいに磨くことはできるものの、虫歯の発生率がより高い歯の内側表面を楽に磨くことはできない。これは、従来の歯ブラシ柄部の構造が、手で握る操作の方向において制限を生んでいるために、隠れた歯の内側表面を効果的に磨くことができないためである。
【０００４】
このほか、従来の歯ブラシヘッド部のブラシは、ほとんどが歯ブラシ本体と結合されて単一の様式を成している。異なる歯面及び歯の隙間を磨くためには、現在販売されている歯ブラシは歯の個別の違いに基づいてブラシを対応させ、交換することができない。
【０００５】
歯の虫歯予防は通常個人の保健衛生に対する重視度に依存するため、歯ブラシの選択は非常に重要である。しかしながら、現在市販されている歯ブラシでは、歯科医は通常「ブラシ」或いは「柄部」等の選択の提案ができるだけである。このため、本考案は現在の従来の歯ブラシに存在する上述の欠点に鑑みて、研究を重ね改良を加えたものである。
【考案の開示】
【考案が解決しようとする課題】
【０００６】
本考案の主な目的は、柄部に角度を備え、歯垢を取り除き、楽に歯の内側表面を磨くことができる、歯ブラシを提供することにある。
【０００７】
本考案の別の目的は、同時に手の操作上の角度の制限を小さくし、特に歯の内側表面を磨く効果を高めた、歯ブラシを提供することにある。
【０００８】
本考案のさらに別の目的は、異なる歯面及び歯の隙間を磨くために歯ブラシヘッド部を交換し、より適切なヘッド部(ブラシ含む)を選択することができる、歯ブラシを提供することにある。
【課題を解決するための手段】
【０００９】
上述の目的を達するため、本考案の歯ブラシは、ヘッド部、ネック部及び柄部を含む。そのうちネック部の両端がヘッド部と柄部にそれぞれ接続され、且つヘッド部にはブラシが設けられる。ヘッド部のブラシの延伸方向は実質的にネック部の延伸軸方向と略平行を成し、且つネック部と柄部に角度が形成される。上述の構造により、本考案の歯ブラシは手の操作上の角度の制限を小さくし、比較的容易に使用者の口の中に伸入させて歯の内側表面を楽に磨くことができる。さらに、異なる歯面及び歯の隙間を磨くために、本考案はヘッド部を交換してより適切なヘッド部を選択することができ、ヘッド部の両面も同時にブラシを備えている。すなわち、歯(特に歯の内側表面)の衛生と保健を保つ機能を備えている。
【００１０】
本考案のその他いくつかの実施例ではヘッド部、ネック部及び（或いは）柄部を分離させ、柄部をネック部に対して旋回させ、及び（或いは）ヘッド部をネック部に対して回動させることができる。
【考案の効果】
【００１１】
本考案の歯ブラシは手の操作上の角度の制限を小さくし、比較的容易に使用者の口の中に伸入させて歯の内側表面を楽に磨くことができる。さらに、異なる歯面及び歯の隙間を磨くために、本考案はヘッド部を交換してより適切なヘッド部を選択することができ、ヘッド部の両面も同時にブラシを備えることで、歯（特に歯の内側表面）の衛生と保健を保つことができる。
【考案を実施するための最良の形態】
【００１２】
本考案の技術内容についてより理解を促すため、以下、いくつかの具体的な実施例に基づいて詳細に説明する。
【００１３】
図１に本考案の歯ブラシの実施例１を示す。本考案の提供する歯ブラシ１は、本実施例において、ヘッド部１１、ネック部１２及び柄部１３を含む。ネック部１２はヘッド部１１から延伸され、且つ柄部１３は前記ネック部１２から延伸される。ヘッド部１１はブラシ１１１を備え、且つブラシ１１１の延伸方向は実質的にネック部１２の延伸軸方向Ｌ１に略平行を成す。ネック部１２の延伸軸方向Ｌ１と柄部１３の延伸軸方向Ｌ２は角度θ１を形成する。最良としては、例えばθ１は９０度から１５０度までの間とすることができる。
【００１４】
ヘッド部１１の延伸軸方向Ｌ３とネック部１２の延伸軸方向Ｌ１はさらに角度θ２を形成する。最良としては、例えばθ２は７０度から１００度までの間とすることができる。
【００１５】
上述の構造により、使用者が本考案の歯ブラシ１を利用するとき、歯ブラシ１は使用者の手の操作上の角度の制限を小さくし、使用上の利便性を向上することができる。同時に図２に示すように、本考案の歯ブラシ１は比較的容易に使用者の口の中に伸入させ、より効果的に歯２の内側表面を磨くことができる。
【００１６】
図３に別の実施例を示す。本実施例において、本考案が提供する歯ブラシ３は、ヘッド部３１、ネック部３２及び柄部３３を含み、前記ネック部３２は柄部３３及びヘッド部３１とそれぞれ接続される。最良として、歯ブラシ３はさらにＬ字形部材３１１を含む。本実施例において、柄部３３はネック部３２に対して旋回させ、及び（或いは）ヘッド部３１はネック部３２に対して回転させることができる。
【００１７】
さらに、図３の実施例において、本考案は前記Ｌ字形部材３１１を含み、且つ、第二旋回部材３５を利用してＬ字形部材３１１とネック部３２を接続することができ、Ｌ字形部材３１１の他端は第三旋回部材３６とヘッド部３１に接続される。ネック部３２と柄部３３の間は第一旋回部材３４を利用して相互に接続され、各接続間は異なる角度の調整ができ、操作上の効果を高めることができる。
【００１８】
図３の実施例の構造に基づき、柄部３３はネック部３２に対して旋回させ、及び（或いは）ヘッド部３１はネック部３２に対して旋回させることができ、使用者により自由度の高い歯ブラシの設計を提供することができる。同時に図４に示すように、第三旋回部材３６によりヘッド部３１とＬ字形部材３１１が接続され、本考案のヘッド部３１はＬ字形部材３１１に対して回動させることができ、例えばヘッド部３１は前記第三旋回部材３６の延伸軸方向Ｌ４を軸として回動させることができる。図５に示すように、第二旋回部材３５によりネック部３２とＬ字形部材３１１が接続され、ヘッド部３１とＬ字形部材３１１はネック部３２に対して旋回させることができ、例えば第二旋回部材３５の延伸軸方向Ｌ５を軸として回動させることができる。図６に示すように、第一旋回部材３４によりネック部３２と柄部３３が接続され、柄部３３はネック部３２に対して旋回させることができ、例えば柄部３３は第一旋回部材３４の延伸軸方向Ｌ６を軸として回動させることができる。
【００１９】
このほか、図７に示すように、異なる歯面及び歯の隙間を磨くために、本考案はさらにヘッド部３１を交換し、より適切なヘッド部(ブラシを含む)を選択することができ、例えば異なるサイズのヘッド部や異なるブラシのヘッド部に交換することができる。
【００２０】
本考案のヘッド部、ネック部、Ｌ字形部材及び（或いは）柄部は、各種異なる変化をもたせ、各種異なる実施例とすることができる。図８の実施例は、歯ブラシ４がＬ字形ヘッド部４１、ネック部４２及び前記ネック部４２から延伸された柄部４３を含む。つまり、この実施例において、Ｌ字形ヘッド部４１は実質上図３のヘッド部３１とＬ字形部材３１１を一体成型としたものであり、Ｌ字形ヘッド部４１は第五旋回部材４４によりネック部４２に対して旋回させ、または回動させることができる。
【００２１】
図９の実施例は、歯ブラシ５がヘッド部５１、Ｌ字形ネック部５２及び前記Ｌ字形ネック部５２から延伸された柄部５３を含む。つまり、この実施例において、Ｌ字形ネック部５２は実質上図３のネック部３２とＬ字形部材３１１を一体成型としたものであり、ヘッド部５１は第五旋回部材５４によりＬ字形ネック部５２に対して旋回させ、または回動させることができる。
【００２２】
図１０の実施例は、歯ブラシ６がヘッド部６１、ネック部６２及び柄部６３を含む。つまり、この実施例は実質上図３のヘッド部３１、Ｌ字形部材３１１、ネック部３２を一体成型としたものであり、ネック部３２は第一旋回部材６４により柄部６３に対して旋回させ、または回動させることができる。
【００２３】
図１１〜図１３の実施例は、歯ブラシ７がヘッド部７１、ネック部７２、Ｌ字形部材７１１及び柄部７３を含み、Ｌ字形部材７１１はさらに第四旋回部材７７を含み、前記Ｌ字形部材７１１は第四旋回部材７７で折り曲げることができる。
【００２４】
このほか、図１１〜図１３に示すように、歯ブラシ７のヘッド部７１の両面に同時にブラシ１１１を設けることができる。
【００２５】
関連技術を知る者であれば理解できるように、図示された第一旋回部材３４、第二旋回部材３５、７５、第三旋回部材３６、７６、第四旋回部材７７或いは第五旋回部材４４、５４は本考案を制限するために用いられるものではなく、各種連結軸や装置（例えばボール軸など）を利用しても旋回または回動の目的を達することができる(図１３参照)。さらに、第一旋回部材３４、第二旋回部材３５、７５、第三旋回部材３６、７６、第四旋回部材７７或いは第五旋回部材４４、５４は図示された位置に制限される必要もなく、例えば第二旋回部材３５はＬ字形部材３１１に配置することもできる。
【００２６】
このほか、本考案の歯ブラシ１、３、４、５、６、７は従来の手動歯ブラシのみに制限されず、電動歯ブラシ（図示しない）に応用することもでき、例えば本考案の柄部を電動歯ブラシ本体に挿入することができる。
【００２７】
まとめると、本考案の特徴は、ヘッド部、ネック部及び（或いは）柄部の軸方向の設計により、使用者が本考案の歯ブラシを使用するとき、ブラシの方向が歯の内側表面を磨くのに便利であり、且つ歯ブラシのヘッド部の両面に同時にブラシを設けることができる。このほか、各種旋回部材或いはその他類似部材を使用し、本考案のヘッド部、ネック部及び（或いは）柄部をそれぞれ異なる方向に旋回させ、または回動させることができる。さらに、異なる使用者のニーズに対応し、本考案のヘッド部は必要に応じて交換することができる。
【００２８】
本考案について各種具体的な実施例を開示してきたが、これらは本考案を制限するものではなく、関連技術を熟知した技術者が本考案の要旨の範囲内で変更や修飾を行うことは可能であり、このため、本考案の保護範囲は実用新案登録請求の範囲で定めるものに基づく。
【図面の簡単な説明】
【００２９】
【図１】本考案の実施例１の歯ブラシの立体図である。
【図２】図１の実施例の使用状態を示す側面図である。
【図３】図１の実施例に基づく各種使用状態（構造の分解状態）を示す立体図である。
【図４】図１の実施例に基づく各種使用状態（ヘッド部の回動状態）を示す立体図である。
【図５】図１の実施例に基づく各種使用状態（ヘッド部とＬ字形部材の旋回状態）を示す立体図である。
【図６】図１の実施例に基づく各種使用状態（柄部の旋回状態）を示す立体図である。
【図７】図１の実施例に基づく各種使用状態（ヘッド部の交換状態）を示す立体図である。
【図８】本考案のその他各種実施例の歯ブラシの立体図である。
【図９】本考案のその他各種実施例の歯ブラシの立体図である。
【図１０】本考案のその他各種実施例の歯ブラシの立体図である。
【図１１】本考案のその他各種実施例及び歯ブラシヘッド部の両面ブラシを示す立体図である。
【図１２】本考案のその他各種実施例及び歯ブラシヘッド部の両面ブラシを示す立体図である。
【図１３】本考案のその他各種実施例及び歯ブラシヘッド部の両面ブラシを示す立体図である。
【符号の説明】
【００３０】
１、３、４、５、６、７      歯ブラシ
２      歯
１１、３１、５１、６１、７１      ヘッド部
１１１      ブラシ
１２、３２、４２、６２、７２      ネック部
１３、３３、４３、５３、６３、７３      柄部
３１１、７１１      Ｌ字形部材
４１      Ｌ字形ヘッド部
５２      Ｌ字形ネック部
３４、６４      第一旋回部材
３５、７５      第二旋回部材
３６、７６      第三旋回部材
７７      第四旋回部材
４４、５４      第五旋回部材
θ１、θ２      角度
Ｌ１、Ｌ５      ネック部の延伸軸方向
Ｌ２      柄部の延伸軸方向
Ｌ３、Ｌ４      ヘッド部の延伸軸方向
Ｌ６      第一旋回部材の軸方向
【図１】
0003144106.tif 000003
【図２】
0003144106.tif 000004
【図３】
0003144106.tif 000005
【図４】
0003144106.tif 000006
【図５】
0003144106.tif 000007
【図６】
0003144106.tif 000008
【図７】
0003144106.tif 000009
【図８】
0003144106.tif 000010
【図９】
0003144106.tif 000011
【図１０】
0003144106.tif 000012
【図１１】
0003144106.tif 000013
【図１２】
0003144106.tif 000014
【図１３】
0003144106.tif 000015